(57)【特許請求の範囲】
【請求項１】
撮像装置本体に設けられて光学像を電子的画像情報に変換する撮像素子と、
前記撮像素子を介して得られた電子的画像情報に画像処理を施して画像データを取得する画像処理手段と、
前記撮像装置本体に設けられかつ該撮像装置本体の傾き角度を検出する傾き角度検出手段と、
取得された画像データを用いてモニタ画像をモニタ画面に表示する画像表示手段と、
前記撮像装置本体に設けられかつ前記画像処理手段と前記画像表示手段との協力を得て前記画像データに対してぼかし領域と非ぼかし領域とを設定するぼかし領域設定手段とを備え、
前記画像処理手段には、前記傾き角度検出手段により得られた前記撮像装置の傾き角度に応じて前記モニタ画面上での前記ぼかし領域と前記非ぼかし領域とを自動的に変更するぼかし領域自動変更手段が設けられ、
前記傾き角度検出手段は、重力方向をＹ軸、前記撮像装置本体の撮影光軸方向をＺ軸、前記Ｙ軸と前記Ｚ軸とを含む平面に対して直交する方向をＸ軸とし、前記撮像装置本体のＸ軸に対する傾き角度をロール角度、前記Ｚ軸に対する傾き角度をピッチ角度と定義したときに、前記ロール角度と前記ピッチ角度との少なくとも一方の傾き角度を検出し、
前記画像処理手段は、前記撮像装置本体のロール角度とピッチ角度とが０度の時に、前記ぼかし領域と前記非ぼかし領域とのモニタ画面上での表示割合が所定の割合に設定され、
前記ぼかし領域自動変更手段は、前記ピッチ角度に応じて前記ぼかし領域と前記非ぼかし領域とのモニタ画面上での表示割合を変更することを特徴とする撮像装置。
【請求項２】
前記傾き角度検出手段は、前記撮像装置本体の横方向をＸ軸、前記撮像装置本体の縦方向をＹ軸、前記撮像装置本体の撮影光軸方向をＺ軸とし、任意の正姿勢に対する傾斜角度を検出することを特徴とする請求項１に記載の撮像装置。
【請求項３】
前記画像処理手段は、前記撮像装置本体のロール角度とピッチ角度とが共に０度の時に、前記ぼかし領域と前記非ぼかし領域とのモニタ画面上での表示が前記Ｘ軸又は前記Ｙ軸に平行となるようにぼかし処理を行うことを特徴とする請求項１に記載の撮像装置。
【請求項４】
前記ぼかし領域自動変更手段は、前記傾き角度検出手段により得られたロール角度に応じて前記ぼかし領域と前記非ぼかし領域とが前記Ｘ軸又は前記Ｙ軸に対して平行を維持するようにぼかし領域を自動的に変更することを特徴とする請求項３に記載の撮像装置。
【請求項５】
前記ぼかし領域自動変更手段は、前記ピッチ角度が０度から９０度又は０度から−９０度に向かって大きくなるに伴って、ぼかし領域のモニタ画面上での表示割合が大きくなるように前記ぼかし領域と前記非ぼかし領域とのモニタ画面上での表示割合を変更することを特徴とする請求項１に記載の撮像装置。
【請求項６】
前記モニタ画面に表示される画像が静止画像又は動画像であることを特徴とする請求項１ないし請求項５のいずれか１項に記載の撮像装置。
【発明の詳細な説明】
【技術分野】
【０００１】
本発明は、撮影画像に対して水平方向又は垂直方向にぼかし処理を施すことにより、ティルトシフトレンズを用いて撮影したような画像を生成するモードを有する撮像装置の改良に関する。
【背景技術】
【０００２】
従来から、撮像装置としてのデジタルカメラには、撮影画像に対して水平方向又は垂直方向にぼかし処理を施すことにより、ティルトシフトレンズを用いて撮影したような画像を生成するモード、言い換えると被写体をミニチュア風の遠景として撮影したような画像を生成するモード（以下、ミニチュアモードという）を有するものが知られている。
この従来の撮像装置では、ユーザーが撮影前にぼかし処理を行う部分の補正量、補正位置を設定できるようになっている。
【０００３】
なお、本発明に係る類似の技術として、傾き角を検出する傾き情報取得手段と、撮影光学系の焦点距離情報を取得する焦点距離情報取得手段と、主要被写体までの被写体距離情報を取得する被写体距離情報取得手段と、傾き角、焦点距離情報、及び被写体距離情報に基づいて煽り調節角を算出する算出手段と、算出された煽り調節角に応じて、光軸に対する撮像素子の傾斜角を調節する煽り調節手段とを備え、傾き情報を用いることにより、距離情報やパラメータを入力することなく、煽り調節を自動で行うことができるようにした撮像装置も知られている（例えば、特許文献１参照。）。
【発明の概要】
【発明が解決しようとする課題】
【０００４】
しかしながら、従来のミニチュアモードで撮影可能な撮像装置では、撮影前に設定した条件のもとでしか撮影画像に対するぼかし処理を施すことができないため、例えば、撮像装置を水平にした状態で被写体を撮影する撮影条件のもとで、ぼかし領域を設定していた場合、この撮像装置本体を水平に対して傾けた状態で、すなわち、被写体に対して撮像装置を傾けた構図として撮影画像に対するぼかし処理を施して撮影を行いたい場合、ぼかし処理の設定を変更しなければならず、このため、ユーザーにとって不便である。また、撮影画像に対するぼかし領域の設定変更を行っているうちに、撮影したいシーンが消失し、シャッターチャンスを逃してしまうという問題がある。
【０００５】
本発明は、上記の事情に鑑みて為されたもので、ぼかし領域の設定変更を撮像装置本体の傾き角度に応じて自動的に行うことを可能にして、ユーザーの利便性の向上を図ることのできる撮像装置を提供することにある。
【課題を解決するための手段】
【０００６】
本発明に係る撮像装置は、撮像装置本体に設けられて光学像を電子的画像情報に変換する撮像素子と、前記撮像素子を介して得られた電子的画像情報に画像処理を施して画像データを取得する画像処理手段と、前記撮像装置本体に設けられかつ該撮像装置本体の傾き角度を検出する傾き角度検出手段と、取得された画像データを用いてモニタ画像をモニタ画面に表示する画像表示手段と、前記撮像装置本体に設けられかつ前記画像処理手段と前記画像表示手段との協力を得て前記画像データに対してぼかし領域と非ぼかし領域とを設定するぼかし領域設定手段とを備え、前記画像処理手段には、前記傾き角度検出手段により得られた前記撮像装置の傾き角度に応じて前記モニタ画面上での前記ぼかし領域と前記非ぼかし領域とを自動的に変更するぼかし領域自動変更手段が設けられ、
前記傾き角度検出手段は、重力方向をＹ軸、前記撮像装置本体の撮影光軸方向をＺ軸、前記Ｙ軸と前記Ｚ軸とを含む平面に対して直交する方向をＸ軸とし、前記撮像装置本体のＸ軸に対する傾き角度をロール角度、前記Ｚ軸に対する傾き角度をピッチ角度と定義したときに、前記ロール角度と前記ピッチ角度との少なくとも一方の傾き角度を検出し、
前記画像処理手段は、前記撮像装置本体のロール角度とピッチ角度とが０度の時に、前記ぼかし領域と前記非ぼかし領域とのモニタ画面上での表示割合が所定の割合に設定され、
前記ぼかし領域自動変更手段は、前記ピッチ角度に応じて前記ぼかし領域と前記非ぼかし領域とのモニタ画面上での表示割合を変更することを特徴とする。
【０００８】
角度検出手段は、前記撮像装置本体の横方向をＸ軸、前記撮像装置本体の縦方向をＹ軸、前記撮像装置本体の撮影光軸方向をＺ軸とし、任意の正姿勢に対する傾き角度を検出する構成としても良い。
【０００９】
画像処理手段は、前記撮像装置本体のロール角度とピッチ角度とが共に０度の時に、前記ぼかし領域と前記非ぼかし領域とのモニタ画面上での表示が前記Ｘ軸又は前記Ｙ軸に平行となるようにぼかし処理を行うことが望ましい。
ぼかし領域自動変更手段は、前記傾き角度検出手段により得られたロール角度に応じて前記ぼかし領域と前記非ぼかし領域とが前記Ｘ軸又は前記Ｙ軸に対して平行を維持するようにぼかし領域を自動的に変更することが望ましい。
【００１１】
ぼかし領域自動変更手段は、前記ピッチ角度が０度から９０度又は０度から−９０度に向かって大きくなるに伴って、ぼかし領域のモニタ画面上での表示割合が大きくなるように前記ぼかし領域と前記非ぼかし領域とのモニタ画面上での表示割合を変更することがより望ましい。
モニタ画面に表示される画像は静止画像又は動画像であっても良い。
【発明の効果】
【００１２】
本発明によれば、傾き角度検出手段を用いて撮像装置本体の傾き角度を検出し、撮像装置本体の傾き角度を用いてぼかし処理の設定変更を自動的に行うことにしたので、ユーザーの利便性の向上を図ることができる。
【図面の簡単な説明】
【００１３】
【図１】図１は本発明の撮像装置の一実施形態を模式的に示す正面図である。
【図２】図２は本発明の撮像装置の一実施形態を模式的に示す背面図である。
【図３】図３は本発明の撮像装置の一実施形態を模式的に示す上面図である。
【図４】図４は本発明の撮像装置のシステムの構成を示す全体図である。
【図５】図５は撮像装置の傾きを説明するための説明図である。
【図６】図６は撮像装置がロール方向に傾いた状態の例を示す説明図であり、（ａ）はロール角度が０度の状態を示し、（ｂ）はロール角度が４５度の状態を示し、（ｃ）はロール角度が１８０度の状態を示している。
【図７】図７は本発明に係る撮像装置の一例を示す処理フローチャート図である。
【図８】図８は従来のミニチュアモードのぼかし処理の場合のモニタ画面への表示例を示す説明図である。
【図９】図９は図８に示すぼかし領域の設定変更の一例を示す説明図である。
【図１０】図１０は図８に示す従来の撮像装置を傾けた場合のぼかし領域の説明図である
【図１１】図１１は本発明に係る撮像装置をロール方向に傾けた場合のぼかし処理の例を示す説明図であって、ロール角度が０度の場合のぼかし処理画像の表示例を示す説明図である。
【図１２】図１２は本発明に係る撮像装置をロール方向に傾けた場合のぼかし処理の例を示す説明図であって、ロール角度が４５度の場合のぼかし処理画像の表示例を示す説明図である。
【図１３】図１３は本発明に係る撮像装置をロール方向に傾けた場合のぼかし処理の例を示す説明図であって、はロール角度が９０度の場合のぼかし処理画像の表示例を示す説明図である。
【図１４】図１４は撮像装置をピッチ方向に傾けた状態を示す説明図である。
【図１５】図１５は撮像装置をピッチ方向に傾けた場合のぼかし処理の例を示す説明図であって、ピッチ角度が０度の場合のぼかし処理画像の表示例を示す説明図である。
【図１６】図１６は撮像装置をピッチ方向に傾けた場合のぼかし処理の表示例を示す説明図であって、ピッチ角度が４５度の場合のぼかし処理画像の表示例を示す説明図である。
【図１７】図１７は撮像装置をピッチ方向に傾けた場合のぼかし処理の表示例を示す説明図であって、ピッチ角度が９０度の場合のぼかし処理画像の表示例を示す説明図である。
【発明を実施するための形態】
【実施例】
【００１４】
以下に、本発明に係る撮像装置の一例について図面を参照しつつ説明する。
図１〜図３は、本発明の撮像装置１０の一実施形態を模式的に示す外観図であり、図１は正面図、図２は背面図、図３は上面図である。以下の説明では、各図に矢印で示すように、撮像装置１０において、重力方向をＹ軸とし、撮影光軸ＯをＺ軸とし、Ｙ軸とＺ軸とを含む平面に直交する方向（水平方向又は横方向）をＸ軸とする。
【００１５】
また、以下の説明では、中央演算処理ユニットを「ＣＰＵ」、液晶表示素子からなる画像表示手段を「ＬＣＤ」、電荷結合素子からなる撮像素子を「ＣＣＤ」という。さらに、以下の説明では、図１に記載された側を正面１１ａ、図２に記載された側を背面１１ｂ、図３に記載された側を上面１１ｃ、撮像装置１０自体を背面側から見て光軸方向右側を右側面１１ｅ、左側を左側面１１ｄと称する。
【００１６】
この撮像装置１０は、ここでは、デジタルスチルカメラである。撮像装置１０は、図１〜図３に示すように、全体に直方体形状を呈する本体ケース（撮像装置本体）１１により外形が形作られている。その正面１１ａには、ストロボ発光部１２、測距ユニット１３、光学ファインダ１４が設けられている。また、正面１１ａの中央付近には、撮影レンズを含む鏡胴ユニット１５が配設されている。
本体ケース１１の上面１１ｃには、レリーズスイッチ（シャッタレリーズ釦）ＳＷ１、モードダイヤルＳＷ２、第１ジョグダイヤルＳＷ３が配設されている。
【００１７】
本体ケース１１の背面１１ｂには、ＬＣＤモニタ１６と、第２ジョグダイヤルＳＷ４と、ズームスイッチ［ＴＥＬＥ］ＳＷ５と、ズームスイッチ［ＷＩＤＥ］ＳＷ６と、上方向指示スイッチＳＷ７と、右方向指示スイッチＳＷ８と、ＯＫスイッチＳＷ９と、左指示スイッチＳＷ１０と、マクロスイッチを兼ねた下方向指示スイッチＳＷ１１と、ディスプレイスイッチＳＷ１２と、削除スイッチＳＷ１３と、メニュースイッチＳＷ１４と、電源スイッチＳＷ１５と、光学ファインダ１４の接眼部１４ａとが配設されている。
【００１８】
このＬＣＤモニタ１６は、Ｘ方向およびＹ方向と縦横の方向が一致するように設けられた横長（Ｘ方向に長い）の矩形状の画像表示画面（モニタ画面）１６ａを有し、取得画像や操作メニュー等を表示することができる。
【００１９】
なお、本明細書では、各種スイッチＳＷ１〜ＳＷ１５を一括して示す場合、操作キーユニットという。この操作キーユニットは、使用者が操作する操作キーである。本体ケース１１の右側面１１ｅには、電池の交換等のための開閉可能な電池蓋１７が設けられている。
【００２０】
撮像装置１０は、方向指示スイッチＳＷ７、ＳＷ８、ＳＷ１０、ＳＷ１１を適宜操作することにより、各種機能を選択することができ、レリーズスイッチＳＷ１を押圧操作することにより被写体を撮影することができる。また、撮像装置１０は、ＬＣＤモニタ１６の画像表示画面１６ａに画像を映し出しつつ被写体を撮影することができる。なお、本発明に係る撮像装置の外観は、必ずしも本実施例に限定されるものではなく、他の外観を備えていてもよい。
【００２１】
撮像装置１０の各部材の機能および作用は、公知であるので、その説明は省略することにし、次に撮像装置内部のシステム構成を図４に基づいて説明する。図４は、本発明の撮像装置１０のシステム構成を示す全体構成図である。
【００２２】
ＣＣＤ１０１は、光学像を電子的画像情報に変換する固体撮像素子である。Ｆ／Ｅ（フロントエンド）−ＩＣ１０２は、ＣＤＳ１０２−１と、ＡＧＣ１０２−２と、Ａ／Ｄ変換器１０２−３と、ＴＧ（タイミングジェネレータ）１０２−４とを有している。ＣＤＳ１０２−１は、画像ノイズ除去のため相関二重サンプリングを行う。
【００２３】
ＡＧＣ１０２−２は利得調整を行う。Ａ／Ｄ変換器１０２−３はアナログ信号をデジタル信号に変換する。ＴＧ１０２−４には後述のデジタルスチルカメラプロセッサ１０４のＣＣＤ１信号処理ブロック１０４−１から垂直同期信号ＶＤ、水平同期信号ＨＤが供給される。ＴＧ１０２−４は、ＣＰＵブロック１０４−３によって制御されてＣＣＤ１０１とＦ／Ｅ−ＩＣ１０２の駆動タイミング信号を発生する。
【００２４】
鏡胴ユニット１５は、本体ケース１１の正面１１ａに設けられている。鏡胴ユニット１５は、ズーム光学系１５−１と、フォーカス光学系１５−２と、絞りユニット１５−３と、メカニカルシャッタユニット１５−４と、モータドライバ１５−５とを有する。
ズーム光学系１５−１は、被写体の光学画像を取り込むズームレンズ１５−１ａと、ズーム駆動モータ１５−１ｂとからなる。フォーカス光学系１５−２は、フォーカスレンズ１５−２ａと、フォーカス駆動モータ１５−２ｂとからなる。
【００２５】
絞りユニット１５−３は、絞り１５−３ａと、絞り駆動モータ１５−３ｂとからなる。メカニカルシャッタユニット１５−４は、メカニカルシャッタ１５−４ａと、メカニカルシャッタ駆動モータ１５−４ｂとからなる。モータドライバ１５−５は、鏡胴ユニット１５の各モータを駆動する。
【００２６】
メカニカルシャッタ１５−４ａのシャッターを操作すると、被写体光がズームレンズ１５−１ａ、フォーカスレンズ１５−２ａ、絞り１５−３ａを通してＣＣＤ（撮像素子）１０１に受光される。
【００２７】
ＲＯＭ１１３には制御プログラムや制御パラメータが格納され、この制御プログラムや制御パラメータはＣＰＵブロック１０４−３により解読可能なコードを用いて記述されている。撮像装置１０の電源がオンされると、制御プログラムが図示を略すメインメモリにロードされる。
【００２８】
ＣＰＵブロック１０４−３はその制御プログラムに従って装置各部の動作制御を行う。この制御に必要なデータ等は、一時的にＲＡＭ１１４、及びディジタルスチルカメラプロセッサ１０４内のローカル  ＳＲＡＭ１０４−４内に保存される。ＲＯＭ１１３に書き換え可能なフラッシュＲＯＭを使用することにより、制御プログラムや制御パラメータの変更が可能となるので、撮像装置１０の機能のＶｅｒ  Ｕｐ（バージョンアップ）を容易に行うことができる。
【００２９】
デジタルスチルカメラプロセッサ１０４は、ＣＣＤ１０１から入力されてＦ／Ｅ―ＩＣ１０２から出力されるデータにホワイトバランス設定やガンマ設定を行う。このデジタルスチルカメラプロセッサ１０４は、ＣＣＤ１信号処理ブロック１０４−１、ＣＣＤ２信号処理ブロック１０４−２、ＣＰＵブロック１０４−３、ローカルＳＲＡＭ１０４−４、ＵＳＢブロック１０４−５、シリアルブロック１０４−６、ＪＰＥＧ  ＣＯＤＥＣブロック１０４−７、リサイズブロック１０４−８、ＴＶ信号表示ブロック１０４−９、メモリカードコントローラブロック１０４−１０、Ｉ２Ｃブロック１０４−１１を有する。
【００３０】
ＣＣＤ１信号処理ブロック１０４−１は、ＴＧ１０２−４に、垂直同期信号ＶＤ、水平同期信号ＨＤを供給する。ＣＣＤ２信号処理ブロック１０４−２は、フィルタリング処理により輝度データ・色差データへの変換を行う。ＣＰＵブロック１０４−３、装置各部の動作を制御する。
【００３１】
ローカルＳＲＡＭ１０４−４は、その制御に必要なデータ等を一時的に保存する。ＵＳＢブロック１０４−５は、パソコンなどの外部機器とＵＳＢ通信を行う。シリアルブロック１０４−６は、パソコンなどの外部機器とシリアル通信を行う。ＪＰＥＧ  ＣＯＤＥＣブロック１０４−７は、ＪＰＥＧ圧縮・伸張を行う。
【００３２】
リサイズブロック１０４−８は、画像データのサイズを補間処理により拡大／縮小する。ＴＶ信号表示ブロック１０４−９は、画像データを液晶モニタやＴＶなどの外部表示機器に表示するためのビデオ信号に変換する。メモリカードコントローラブロック１０４−１０は、撮影された画像データを記録するメモリカードの制御を行う。
【００３３】
ＳＤＲＡＭ１０３は、デジタルスチルカメラプロセッサ１０４で画像データに各種処理を施す際に、画像データを一時的に保存する。保存される画像データは、例えば、ＣＣＤ１０１からＦ／Ｅ−ＩＣ１０２を経由して取り込まれ、ＣＣＤ１信号処理ブロック１０４−１でホワイトバランス設定およびガンマ設定が行われた状態の「ＲＡＷ−ＲＧＢ画像データ」や、ＣＣＤ２信号処理ブロック１０４−２で輝度データ・色差データ変換が行われた状態の「ＹＵＶ画像データ」や、ＪＰＥＧ  ＣＯＤＥＣブロック（１０４−７）でＪＰＥＧ圧縮された「ＪＰＥＧ画像データ」等である。内蔵メモリ１０７は、撮影して得られた画像データを静止画記憶するためのメモリである。
【００３４】
ＬＣＤドライバ１０８は、ＬＣＤモニタ１６を駆動するドライブ回路であり、ＴＶ信号表示ブロック１０４−９から出力されたビデオ信号を、ＬＣＤモニタ１６に表示するための信号に変換する機能も有している。ＬＣＤモニタ１６は、「撮影前に取得された画像データを用いて被写体の状態を監視（モニタ）する」、「撮影した画像を確認する」、「メモリカードや内臓メモリ１０７に記録した画像データを表示する」等の各種表示を行うためのモニタである。
【００３５】
ビデオＡＭＰ１０９は、ＴＶ信号表示ブロック１０４−９から出力されたビデオ信号を、７５Ωインピーダンス変換するためのアンプである。ビデオジャック１１０はＴＶ等の外部表示機器と接続するためのジャックである。
【００３６】
操作Ｋｅｙ（キー）ユニット（ＳＷ１〜ＳＷ１５）は、ユーザーが操作するキー回路であり、各スイッチＳＷ１〜ＳＷ１５がこれに該当する。ＳＵＢ−ＣＰＵ１０５は、ＲＯＭおよびＲＡＭをワンチップに内蔵した中央演算処理ユニット（ＣＰＵ）であり、操作キーユニット（ＳＷ１〜ＳＷ１５）等の出力信号をユーザー操作情報として、ＣＰＵブロック１０４−３に出力する。また、ＳＵＢ−ＣＰＵ１０５は、時刻をカウントするＲＴＣ（Ｒｅａｌ  Ｔｉｍｅ  Ｃｌｏｃｋ）１１２と通信することにより、時間を制御する。
【００３７】
この撮像装置１０は、加速度センサ１１１を備えている。加速度センサ１１１は、加速度を計測可能なものであり、重力方向を検出することすなわち重力方向に対する傾き度合いを計測することもできる。従って、この加速度センサ１１１を用いて撮像装置本体の傾き角度を検出でき、加速度センサ１１１は傾き角度検出手段として機能する。
【００３８】
この加速度センサ１１１は、プリント回路基板（ＰＣＢ（Ｐｒｉｎｔｅｄ  Ｃｉｒｃｕｉｔ  Ｂｏａｒｄ））上に実装され、加速度データをＩ２Ｃブロック１０４−１１に出力する。この加速度センサ１１１には公知のものが用いられる。
【００３９】
デジタルスチルカメラプロセッサ１０４は、Ｉ２Ｃブロック１０４−１１を介して加速度センサ１１１とシリアル通信し、取得したデータからカメラの傾きを演算し、後述するロール角度をＬＣＤモニタ１６等に撮影画像と重畳して表示する。カメラの傾き角度の演算は、例えばＣＰＵブロック１０４−３が行う。
【００４０】
次に、傾き角度について説明する。図５に示すように、Ｚ軸周りに本体ケース１１を回転させたときのＸ軸に対する本体ケース１１の傾き角度をロール角度θとし、ロール角度θ＝０度の状態においてＸ軸周りに本体ケース１１を回転させたときのＺ軸に対する本体ケース１１の傾き角度をピッチ角度Φと定義する。
【００４１】
ロール角度θの定義により、本体ケース１１の背面１１ｂ側から見て、図６（ａ）に示すように、本体ケース１１のＸ方向が水平面（水平方向）Ｈと平行な状態がロール角度θ＝０度となり、図６（ｂ）に示すように、本体ケース１１が水平面Ｈに対して４５度の角度を為す状態がロール角度θ＝４５度となり、図６（ｃ）に示すように、本体ケース１１の上下が反転して水平面Ｈと平行な状態がロール角度θ＝１８０度又は−１８０度である。
【００４２】
水平状態に対するロール角度θは、加速度センサ１１１の出力値を用いて、以下の式により得ることができる。
【数１】
0005614244.tif 000002
ここで、Ｘは、Ｘ軸方向の出力値（加速度）であり、Ｙは、Ｙ軸方向の出力値（加速度）である。また、Ｘ０は、重力が無い状態におけるＸ軸方向の出力値であり、Ｙ０は重力が無い状態におけるＹ軸方向の出力値である。
【００４３】
ピッチ角度φは、同様に、加速度センサ１１１の出力値を用いて、以下の式により得ることができる。
【数２】
0005614244.tif 000003
ここで、ＺはＺ軸方向の出力値であり、Ｚ０は重力が無い状態における出力値である。
【００４４】
ディジタルスチルカメラプロセッサ１０４は、ＣＣＤ１０１を介して得られた電子的画像情報に画像処理を施して画像データを取得する画像処理手段として機能する。ＬＣＤモニタ１６のモニタ画面１６ａには取得された画像データがモニター画像として表示され、ＬＣＤモニタ１６は取得された画像データを用いてモニタ画像をモニタ画面１６ａに表示する画像表示手段として機能する。
【００４５】
モードダイヤルスイッチＳＷ２、操作ボタンＳＷ７〜ＳＷ１１は、ディジタルスチルカメラプロセッサ１０４とＬＣＤモニタ１６との協力により画像データにぼかし領域と非ぼかし領域とを設定するぼかし領域設定手段としての機能を果たす。
すなわち、モードダイヤルスイッチＳＷ２、操作ボタンＳＷ７〜ＳＷ１１を操作すると、撮像装置１０はミニチュアモードの撮影に移行する。
【００４６】
このディジタルスチルカメラプロセッサ１０４には、加速度センサ１１１により得られた傾き角度に応じてモニタ画面１６ａ上でのぼかし領域と非ぼかし領域とを自動的に変更するぼかし領域自動変更手段が設けられている。
【００４７】
次に、本発明に係るミニチュアモードにおける画像処理手段としてのディジタルスチルカメラプロセッサ１０４の作用を図７に示すフローチャートを参照しつつ説明する。
モニター画像、操作メニューがＬＣＤモニタ１６に表示されている状態で（Ｓ．１）、モードダイヤルスイッチＳＷ２、操作ボタンＳＷ７〜ＳＷ１１を操作してミニチュアモードを選択すると（Ｓ．２）、撮像装置１０は、既述のミニチュアモードに移行する。
ミニチュアモードに移行すると、ＬＣＤモニタ１６にはぼかし処理を行う領域が表示される（Ｓ．３）。
【００４８】
図８はそのぼかし領域ＢＫが表示された撮像装置１０を示している。この図８には、撮像装置１０を水平にした状態で被写体Ｑ（図１４参照）を撮影する撮影条件のもとで、ぼかし領域ＢＫを設定する例が示されている。
【００４９】
次に、画像処理手段は、ぼかし処理を自動設定するか否かについて判断する（Ｓ．４）。自動設定でない場合には、Ｓ．５に移行して、キー操作による手動設定を行う（Ｓ．５）。
ついで、画像処理手段は、ぼかし領域ＢＫの設定に変更があったか否かを判断する（Ｓ．６）。
【００５０】
画像処理手段は、ぼかし領域ＢＫの設定に変更があった場合には、Ｓ．７において、ぼかし処理箇所変更処理（画像処理箇所変更処理）を実行した後、Ｓ．５に戻る。このぼかし領域ＢＫの設定変更により、例えば、図９に示すように、ぼかし領域がぼかし領域ＢＫからぼかし領域ＢＫ’に変更される。
ぼかし領域の設定に変更がない場合には、Ｓ．６において、ＮＯと判断して、ぼかし領域の設定を終了する。なお、ＮＢＫは非ぼかし領域である。
【００５１】
このＳ．５〜Ｓ．７の処理ステップは、従来の撮像装置１０のぼかし処理に対応しており、例えば、図８に示すぼかし領域ＢＫが設定されている状態で、この撮像装置１０を水平に対して傾けた状態で、すなわち、被写体Ｑ（図１４参照）に対して撮像装置１０を傾けた構図として撮影を行うと、図１０に示す被写体画像Ｑ’がＬＣＤモニタ１６に表示され、ユーザの思惑と異なる画像となる。被写体Ｑに対して水平方向にぼかし処理を施さないとミニチュア風の画像とならないからである。
【００５２】
画像処理手段は、ステップＳ．４において、ぼかし処理の自動設定が選択されている場合には、Ｓ．８に移行して撮像装置１０の傾き角度情報を取得する。ついで、画像処理手段は、傾き角度に変化があるかないかを判断し（Ｓ．９）、傾き角度に変化がある場合には、画像処理手段は、ぼかし処理箇所変更（画像処理箇所変更）処理（Ｓ．１０）を実行した後、Ｓ．８に戻る。次に、Ｓ．９に移行して、傾き角度に変化がない場合には、Ｓ．９において、ＮＯと判断して、ぼかし領域ＢＫの自動設定を終了する。
【００５３】
このＳ．８〜Ｓ．１０の処理ステップは、本発明に係るミニチュアモードのぼかし処理に対応しており、例えば、図１１に示すように、例えば、撮像装置１０のロール角度θが０度の場合についてぼかし領域ＢＫが設定されており、撮像装置１０をロール角度θ＝４５度に傾けると、画像処理手段は、図１２に示すように、ぼかし領域をぼかし領域ＢＫからぼかし領域ＢＫ’に変更し、撮像装置をロール角９０度に傾けると、画像処理手段は、図１３に示すように、ぼかし領域をぼかし領域ＢＫからぼかし領域ＢＫ’に変更する。
【００５４】
ここでは、このぼかし処理の自動設定が選択されている場合、ぼかし領域ＢＫと非ぼかし領域ＮＢＫとは、水平（Ｘ軸）と平行になるように設定されていると共に、本体ケース（撮像装置本体）１１が正姿勢（ロール角度０度、ピッチ角度０度）に保持された状態においては、ＬＣＤモニタ１６の画面上の比率が所定の割合に設定されている。
【００５５】
ここでは、画像処理手段は、正姿勢では、例えば、図１５に示すように、ＬＣＤモニタ１６の縦方向の画面幅ＬＷに対してぼかし領域ＢＫの縦方向の画面幅ＢＫＷが、画面幅ＬＷ＝６に対して画面幅ＢＫＷ＝１であり、ＬＣＤモニタ１６の縦方向の画面幅ＬＷに対して非ぼかし領域ＮＢＫの縦方向の画面幅ＮＢＫＷが、画面幅ＬＷ＝６に対して画面幅ＮＢＫＷ＝５に設定している。
【００５６】
また、画像処理手段は、ピッチ角が大きくなると、ぼかし領域ＢＫと非ぼかし領域ＮＢＫとの比率が変更されるように構成されている。
ここでは、ピッチ角度Φが「０」度から「９０」度に向かって又は「０」度から−「９０」度に向かって、ピッチ角度Φが大きくなると、ぼかし領域ＢＫの割合が大きくなるように設定されている。また、ピッチ角度Φが「９０」度を超えて「１８０」度に向かって又は「０」度から−「９０」度に向かってピッチ角度Φが大きくなると、ぼかし領域ＢＫの割合が対称的に小さくなるように設定されている。
【００５７】
例えば、撮像装置１０のピッチ角度Φが図１４に示すように０度のときにぼかし領域ＢＫが図１５に示すように設定されているときに、撮像装置１０のピッチ角度Φを４５度に傾けると、図１６に示すように、そのぼかし領域ＢＫの画面幅ＢＫＷが広がる方向にぼかし領域ＢＫが自動的に設定変更され、撮像装置１０のピッチ角度Φを９０度に傾けると、図１７に示すように、そのぼかし領域ＢＫの画面幅ＢＫＷが更に広がる方向にぼかし領域ＢＫが設定変更される。
【００５８】
すなわち、撮像装置１０のピッチ角度Φの傾きに応じて、ぼかし領域ＢＫの画面幅ＢＫＷが自動的に拡大縮小される処理が施される。
この実施例では、重力方向をＹ軸、撮影光軸Ｏの方向をＺ軸、撮像装置１０を正姿勢に保持した状態をＸ軸として撮像装置１０のＸ軸に対する傾き角度をロール角度θ、Ｚ軸に対する傾き角度をピッチ角度Φと定義して説明したが、本体ケース（撮像装置本体）１１の横方向をＸ軸、その縦方向をＹ軸、その撮影光軸Ｏの方向をＺ軸として、本体ケース（撮像装置本体）１１の任意の姿勢を正姿勢として、この正姿勢を基準にしてこの正姿勢からの傾き角度として本体ケース１１の傾斜角度を検出し、この傾斜角度によりぼかし領域を自動的に設定することもできる。
【００５９】
また、実施例では、ぼかし領域ＢＫと非ぼかし領域ＮＢＫとは、Ｘ軸に平行になるように設定されているが、ぼかし領域ＢＫと非ぼかし領域ＮＢＫとがＹ軸に平行になるように設定されていても良い。
この実施例では、静止画撮影時について説明したが、本発明は動画撮影時にも適用できるものである。
【００６０】
動画撮影を手持ちで行う場合、手ぶれが生じ易く、動画撮影前に設定した条件でぼかし処理を行うと、手ぶれにより撮像装置が傾いた場合に、違和感のあるミニチュアモードの動画撮影となるが、ぼかし領域を撮像装置の傾きに応じて自動的に変更できる構成とすれば、違和感の少ないミニチュアモードの動画撮影を行うことができる。
【００６１】
以上、本発明を実施例に基づき詳述してきたが、この具体的な構成に限らず、本発明の趣旨を逸脱しない程度の設計的変更は、本発明の技術的範囲に含まれる。
【符号の説明】
【００６２】
１６…ＬＣＤモニタ（画像表示手段）
１０１…ＣＣＤ（撮像素子）
１０４…ディジタルスチルカメラプロセッサ（画像処理手段）
１１１…加速度センサ（傾き角度検出手段）
【先行技術文献】
【特許文献】
【００６３】
【特許文献１】特開２０１０−１３０６３３号公報
【図１】
0005614244.tif 000004
【図２】
0005614244.tif 000005
【図３】
0005614244.tif 000006
【図４】
0005614244.tif 000007
【図５】
0005614244.tif 000008
【図６】
0005614244.tif 000009
【図７】
0005614244.tif 000010
【図８】
0005614244.tif 000011
【図９】
0005614244.tif 000012
【図１０】
0005614244.tif 000013
【図１１】
0005614244.tif 000014
【図１２】
0005614244.tif 000015
【図１３】
0005614244.tif 000016
【図１４】
0005614244.tif 000017
【図１５】
0005614244.tif 000018
【図１６】
0005614244.tif 000019
【図１７】
0005614244.tif 000020